(57)【特許請求の範囲】
【請求項１】
最内周から最外周に亘って、同心円状又は螺旋状にグルーブ部若しくはランド部が形成されると共にそのグルーブ部若しくはランド部の片側又は両側が連続してウォブルを持って形成され、また、隣接するグルーブ部若しくはランド部間にはランド部若しくはグルーブ部が存在し、そのランド部若しくはグルーブ部に予め補助情報がプリピットとして記録されている記録媒体の前記グルーブ部若しくはランド部に、情報信号を記録する情報信号記録方法において、
前記グルーブ部若しくはランド部の前記プリピットに隣接する位置に、前記情報信号のランレングス制限に対応し、かつ、前記プリピットの隣接部で非反転とされたビットパターンのマージンビットが記録されるように、前記情報信号に前記マージンビットを挿入して記録することを特徴とする情報信号記録方法。
【請求項２】
最内周から最外周に亘って、同心円状又は螺旋状にグルーブ部若しくはランド部が形成されると共にそのグルーブ部若しくはランド部の片側又は両側が連続してウォブルを持って形成され、また、隣接するグルーブ部若しくはランド部間にはランド部若しくはグルーブ部が存在し、そのランド部若しくはグルーブ部に予め補助情報がプリピットとして記録されている記録媒体の前記グルーブ部若しくはランド部に、情報信号を記録する情報信号記録方法において、
前記グルーブ部若しくはランド部の前記プリピットに隣接する位置に、前記情報信号のＤＳＶを考慮し、かつ、前記プリピットの隣接部で非反転とされたビットパターンのマージンビットが記録されるように、前記情報信号に前記マージンビットを挿入して記録することを特徴とする情報信号記録方法。
【請求項３】
最内周から最外周に亘って、同心円状又は螺旋状にグルーブ部若しくはランド部が形成されると共にそのグルーブ部若しくはランド部の片側又は両側が連続してウォブルを持って形成され、また、隣接するグルーブ部若しくはランド部間にはランド部若しくはグルーブ部が存在し、そのランド部若しくはグルーブ部に予め補助情報がプリピットとして記録されており、前記グルーブ部若しくはランド部に情報信号が記録された記録媒体において、
前記グルーブ部若しくはランド部の前記プリピットに隣接する位置に、前記情報信号のランレングス制限に対応し、かつ、前記プリピットの隣接部で非反転とされたビットパターンのマージンビットが記録されていることを特徴とする記録媒体。
【請求項４】
最内周から最外周に亘って、同心円状又は螺旋状にグルーブ部若しくはランド部が形成されると共にそのグルーブ部若しくはランド部の片側又は両側が連続してウォブルを持って形成され、また、隣接するグルーブ部若しくはランド部間にはランド部若しくはグルーブ部が存在し、そのランド部若しくはグルーブ部に予め補助情報がプリピットとして記録されている記録媒体の前記グルーブ部若しくはランド部に、情報信号が記録された記録媒体において、
前記グルーブ部若しくはランド部の前記プリピットに隣接する位置に、前記情報信号のＤＳＶを考慮し、かつ、前記プリピットの隣接部で非反転とされたビットパターンのマージンビットが記録されるように、前記情報信号に前記マージンビットを挿入して記録することを特徴とする記録媒体。
【請求項５】
最内周から最外周に亘って、同心円状又は螺旋状にグルーブ部若しくはランド部が形成されると共にそのグルーブ部若しくはランド部の片側又は両側が連続してウォブルを持って形成され、また、隣接するグルーブ部若しくはランド部間にはランド部若しくはグルーブ部が存在し、そのランド部若しくはグルーブ部に予め補助情報がプリピットとして記録されており、前記グルーブ部若しくはランド部には前記プリピットに、前記情報信号のランレングス制限に対応し、かつ、前記プリピットの隣接部で非反転とされたビットパターンのマージンビットが隣接するように、情報信号に前記マージンビットが挿入されて記録されている記録媒体から前記情報信号を再生する情報信号再生方法であって、
前記記録媒体からの再生信号に含まれる前記プリピットの信号を検出して得たプリピット信号に基づき、前記マージンビットの位置を判別して、前記マージンビットの位置からの再生信号を無視して、前記情報信号の再生を行うことを特徴とする情報信号再生方法。
【請求項６】
最内周から最外周に亘って、同心円状又は螺旋状にグルーブ部若しくはランド部が形成されると共にそのグルーブ部若しくはランド部の片側又は両側が連続してウォブルを持って形成され、また、隣接するグルーブ部若しくはランド部間にはランド部若しくはグルーブ部が存在し、そのランド部若しくはグルーブ部に予め補助情報がプリピットとして記録されており、前記グルーブ部若しくはランド部には前記プリピットに、前記情報信号のＤＳＶを考慮し、かつ、前記プリピットの隣接部で非反転とされたビットパターンのマージンビットが隣接するように、情報信号に前記マージンビットが挿入されて記録されている記録媒体から前記情報信号を再生する情報信号再生方法であって、
前記記録媒体からの再生信号に含まれる前記プリピットの信号を検出して得たプリピット信号に基づき、前記マージンビットの位置を判別して、前記マージンビットの位置からの再生信号を無視して、前記情報信号の再生を行うことを特徴とする情報信号再生方法。
【発明の詳細な説明】
【０００１】
【発明の属する技術分野】
本発明は情報信号記録方法、再生方法及び記録媒体に係り、特に光ディスク等の記録媒体に情報信号を高密度記録する情報信号記録方法、再生する再生方法及び記録媒体に関する。
【０００２】
【従来の技術】
従来、プリピット情報が予め記録されており、当該プリピット情報に基づいて情報が書き換え可能な記録媒体としては、ＤＶＤ−Ｒ（DVD−Recordable）、ＤＶＤ−ＲＷ（DVD−Rewritable）が知られている。以下、ＤＶＤ−ＲＷの規格に基づいた光ディスクのプリピットと記録信号の関係を例に挙げて説明する。
【０００３】
特開平１０−２９３９２６号公報などに記載されているように、上記の規格の光ディスクには、最内周から最外周に亘って例えば螺旋状にグルーブ部若しくはランド部が形成されると共にそのグルーブ部の片側又は両側が連続してうねり（ウォブル）を持って形成され、また、ディスク半径方向に隣接するグルーブ部間にはランド部が存在し、そのランド部に予め補助情報がプリピットとして記録されている。この光ディスクに対しては、情報信号はグルーブ部に記録される。
【０００４】
更に、この光ディスクの記録時には、光ビームを光ディスクに照射して得られる反射光を、公知の２分割光検出器で受光し、得られた２つの受光信号を公知のプッシュプル法により上記のプリピット信号を検出して補助情報を取得すると共に、グルーブ部からウォブル信号を抽出して光ディスクの回転に同期した記録用クロック信号を抽出する。また、プッシュプル法により得られた差分信号に基づき、光ビームスポットをグルーブ部上を追従走査させて、情報信号を記録する。
【０００５】
ここで、記録する情報信号は記録フォーマットにより規定されるピット間隔に対応する単位長さＴの１４８８倍の長さのシンクフレーム単位で記録される。このシンクフレームには、先頭から１４Ｔの長さの同期情報Ｓｙｎｃが設けられるように規定されている。一方、前記プリピットにより記録される補助情報はグルーブ部に記録される記録信号の一つのシンクフレーム内で、かつ、前記同期情報Ｓｙｎｃの記録位置に隣接したランド部で、かつ、上記のウォブルの頂点の位置に記録されるが、プリピット記録周期は２シンクフレームである。
【０００６】
すなわち、記録する情報信号のシンクフレームの同期情報Ｓｙｎｃは、プリピットが収まるように、記録クロック信号に同期してエンコードされて記録される。また、プリピットは、上記の同期情報Ｓｙｎｃに隣接した位置以外に、同期情報Ｓｙｎｃに続く記録情報に隣接する他のウォブルの頂点にも存在する可能性があり、これを物理アドレスなどの情報に利用している。
【０００７】
【発明が解決しようとする課題】
上記従来の情報信号記録方法では、プリピットと記録情報信号の干渉を考えた場合、プリピットの先頭のプリピットＳｙｎｃについては、前記記録信号のシンクフレームの先頭から１４Ｔという平坦な同期情報Ｓｙｎｃ記録期間の中心と同期させることにより、お互いの干渉を低減している。
【０００８】
しかし、それ以外のプリピットは、ランダムな記録信号と直接干渉することとなり、プリピットにとっては、レベル低下・位相ずれなどを引き起こして、誤判別が増加し、結果として正しい記録もしくは再生ができなくなり、逆に記録信号にとっては、ノイズが重畳されるので、エラーレートが悪化する。この傾向は、高密度記録になるほど、顕著に現れるので、お互いの干渉を軽減する方法が望まれていた。
【０００９】
本発明は、上記の点に鑑みなされたもので、記録信号とプリピットの干渉を軽減し得る情報信号記録方法、再生方法及び記録媒体を提供することを目的とする。
【００１０】
【課題を解決するための手段】
本発明は上記の目的を達成するため、最内周から最外周に亘って、同心円状又は螺旋状にグルーブ部若しくはランド部が形成されると共にそのグルーブ部若しくはランド部の片側又は両側が連続してウォブルを持って形成され、また、隣接するグルーブ部若しくはランド部間にはランド部若しくはグルーブ部が存在し、そのランド部若しくはグルーブ部に予め補助情報がプリピットとして記録されている記録媒体のグルーブ部若しくはランド部に、情報信号を記録する情報信号記録方法において、グルーブ部若しくはランド部のプリピットに隣接する位置に、情報信号のランレングス制限に対応し、かつ、プリピットの隣接部で非反転とされたビットパターンのマージンビットが記録されるように、情報信号に前記マージンビットを挿入して記録することを特徴とする。また、本発明の情報信号記録方法は、グルーブ部若しくはランド部のプリピットに隣接する位置に、情報信号のＤＳＶを考慮し、かつ、プリピットの隣接部で非反転とされたビットパターンのマージンビットが記録されるように、情報信号にマージンビットを挿入して記録するようにしてもよい。これらの発明では、プリピットの位置を含めた期間に、プリピットの読み出しに影響を与えないマージンビットを記録することができる。
【００１１】
また、上記の目的を達成するため、本発明の記録媒体は、最内周から最外周に亘って、同心円状又は螺旋状にグルーブ部若しくはランド部が形成されると共にそのグルーブ部若しくはランド部の片側又は両側が連続してウォブルを持って形成され、また、隣接するグルーブ部若しくはランド部間にはランド部若しくはグルーブ部が存在し、そのランド部若しくはグルーブ部に予め補助情報がプリピットとして記録されており、グルーブ部若しくはランド部に情報信号が記録された記録媒体において、グルーブ部若しくはランド部の前記プリピットに隣接する位置に、情報信号のランレングス制限に対応し、かつ、プリピットの隣接部で非反転とされたビットパターンのマージンビットが記録されていることを特徴とする。また、本発明の記録媒体は、グルーブ部若しくはランド部のプリピットに隣接する位置に、情報信号のＤＳＶを考慮し、かつ、プリピットの隣接部で非反転とされたビットパターンのマージンビットが記録されるように、情報信号にマージンビットを挿入して記録されていることを特徴とする。これらの発明では、プリピットの位置を含めた期間に、プリピットの読み出しに影響を与えないマージンビットが記録されている記録媒体を提供することができる。
【００１２】
また、本発明の情報信号再生方法は、上記の目的を達成するため、最内周から最外周に亘って、同心円状又は螺旋状にグルーブ部若しくはランド部が形成されると共にそのグルーブ部若しくはランド部の片側又は両側が連続してウォブルを持って形成され、また、隣接するグルーブ部若しくはランド部間にはランド部若しくはグルーブ部が存在し、そのランド部若しくはグルーブ部に予め補助情報がプリピットとして記録されており、グルーブ部若しくはランド部にはプリピットに、情報信号のランレングス制限に対応し、かつ、プリピットの隣接部で非反転とされたビットパターンのマージンビットが隣接するように、情報信号にマージンビットが挿入されて記録されている記録媒体から情報信号を再生する情報信号再生方法であって、記録媒体からの再生信号に含まれるプリピットの信号を検出して得たプリピット信号に基づき、マージンビットの位置を判別して、マージンビットの位置からの再生信号を無視して、前記情報信号の再生を行うことを特徴とする。また、本発明の情報信号再生方法は、上記のグルーブ部若しくはランド部のプリピットに隣接する位置に、情報信号のＤＳＶを考慮し、かつ、プリピットの隣接部で非反転とされたビットパターンのマージンビットが記録されるように、情報信号にマージンビットが挿入されて記録されている記録媒体から情報信号を再生する場合も、上記と同様の再生を行う。
【００１３】
この発明では、プリピットの位置を含めた期間に、プリピットの読み出しに影響を与えないマージンビットを再生するので、マージンビットを無視することで、元の情報信号を再生できる。
【００１４】
【発明の実施の形態】
次に、本発明の一実施の形態について図面と共に説明する。図１は本発明になる情報信号記録方法の一実施の形態のプリピットと記録信号の位置関係を示す。この実施の形態は、最内周から最外周に亘って、同心円状又は螺旋状にグルーブ部が形成されると共にそのグルーブ部の片側又は両側が連続してうねり（ウォブル）を持って形成され、また、ディスク半径方向に隣接するグルーブ部間にはランド部が存在し、そのランド部に予め補助情報がプリピットとして記録され、情報信号はグルーブ部に記録される光ディスクに適用したものである。
【００１５】
本実施の形態は、この光ディスクにおいて、図１（Ａ）に示すプリピット記録位置に隣接するグルーブ部の位置に、図１（Ｂ）に示すように、情報信号中にマージンビットＭＢを挿入して記録するものである。ここで、マージンビットＭＢはＮＲＺＩ変換前において、先頭ビットＰａと最後のビットＰｂとの間に”０”が連続していくつかある、全部でビット数Ｎｍのビットであり、ランレングス制限規則（ｄ，ｋ）に従う。なお、ランレングス制限規則（ｄ，ｋ）は、”１”と”１”の間に”０”が最小でｄ個、最大でｋ個連続するとする規則である。
【００１６】
また、図１（Ｂ）に示すように、マージンビットＭＢの直前には、”０”の数がＮｆ個連続し、マージンビットＭＢの直後には、”０”の数がＮｂ個連続する。更に、図１（Ａ）に示すように、プリピットの前エッジからマージンビットＭＢ挿入位置までのビット数はＮｓである。
【００１７】
図１（Ａ）及び（Ｂ）から分かるように、プリピットに隣接するマージンビットＭＢの中央の区間は、符号反転を行わないので、記録信号のプリピットに対する影響を大幅に減少し、また、逆に、プリピットから記録信号（情報部分）への影響もマージンビットＭＢの挿入によって距離が離れるので、当然減少する。なお、マージンビットＭＢの先頭ビットＰａと末尾ビットＰｂの値は、後述するように、記録装置内のエンコーダで適切に決定される。
【００１８】
図２は本発明になる情報信号記録方法が適用される光ディスク装置の一例のブロック図を示す。同図において、光ヘッド１１は、光源、対物レンズ等の光学系、光検出器等を有しており、記録時は、レーザ駆動回路１２から供給される、記録情報データに基づいたレーザ駆動信号に応じて、光源からの光ビームの出射パワーを変化させ、その光ビームを図示しない光ディスクの情報記録面に照射して記録情報データの記録を行う。再生時は、一定の出射パワー（読取パワー）で光ビームを光ディスクに照射して、その反射光を光ヘッド１１内の光検出器で受光する。
【００１９】
また、光ヘッド１１は、光ディスクの情報記録面に照射した光ビームの情報記録面からの反射光を光ヘッド１１内の光検出器で受光し、これを電気信号に変換して、例えばラジアルプッシュプル方式に基づく演算処理を施すことによりプリピット及びグルーブのウォブル信号並びに記録情報データ等を担う検出信号を生成し、再生増幅器１３に出力する。
【００２０】
再生増幅器１３は、光ヘッド１１から出力されたランド部からのプリピット信号及びグルーブ部のウォブル信号を担う検出信号を増幅し、プリピット信号及びウォブル信号を含む情報信号を記録用クロック信号発生器１４に供給すると共に、再生時には、記録情報データに対応する増幅信号をデコーダ１５に出力する。デコーダ１５は、入力された増幅信号に対して８／１６復調及びデインターリーブを施すことにより入力増幅信号をデコードして復調信号を生成し、この復調信号を中央処理装置（ＣＰＵ）１６に出力する。
【００２１】
一方、記録用クロック信号発生器１４は再生増幅器１３から供給された情報信号に含まれるウォブル信号の所定位置（例えば最大振幅位置）でプリピット信号が重畳された複合信号からウォブル信号の最大振幅値より大なるレベルと比較することでプリピット信号を検出してプリピット復号器１７に供給すると共に、複合信号を２値化することによりウォブル信号を抽出し、更にこのウォブル信号に位相同期した記録用クロック信号を生成してエンコーダ１８へ供給すると共に、記録用クロック信号と基準クロック信号との差信号に基づいて回転制御信号を生成して、図示しないモータ駆動系へ出力する。
【００２２】
プリピット復号器１７は、供給されたプリピット検出信号から、補助情報を復号して、ＣＰＵ１６に出力する。このＣＰＵ１６は、図示しないホストコンピュータなどから送信されてくる記録情報データに対して、記録装置に取り込むためのインタフェース動作を行い、入力記録情報データをエンコーダ１８に出力する。
【００２３】
エンコーダ１８は、記録用クロック信号発生器１４から供給される記録用クロック信号をタイミング信号として、ＥＣＣ処理、８／１６変調処理並びにスクランブル処理を施し、変調信号を生成してパワー制御回路１９に出力する。また、エンコーダ１８は、記録用クロック信号発生器１４から供給されるプリピット位置情報に基づいて、記録情報データに、後述するように生成したマージンビットを挿入する処理を行う。
【００２４】
パワー制御回路１９は、光ディスク上に形成される記録ピットの形状を良好にするべく、記録用クロック信号発生器１４から供給された記録用クロック信号に基づいて、変調信号の波形変換（いわゆる、ライトストラテジ処理）を行い、記録信号としてレーザ駆動回路１２に出力する。レーザ駆動回路１２は、光ヘッド１１内の光源を駆動して、供給された記録信号に応じた出射パワーで光ビームを出射させるためのレーザ駆動信号を出力する。ＣＰＵ１６は、記録時は、プリピット復号器１７から供給される補助情報からアドレス情報を取得し、当該アドレス情報に対応する光ディスク上の位置に記録情報データを記録する様にデータ記録装置全体を制御する。
【００２５】
ここで、本実施の形態では、エンコーダ１８によりマージンビットを情報信号（記録データ）中に挿入する。図３は本発明になる情報記録方法の一実施の形態を実現するエンコーダの内部ブロック図を示す。同図中、図２と同一構成部分には同一符号を付し、その説明を省略する。図３において、エンコーダ１８は、符号変調ブロック１８１、マージンビット挿入ブロック１８２及びＮＲＺＩ変換器１８３よりなる。
【００２６】
このうち、符号変調ブロック１８１及びＮＲＺＩ変換器１８３は、従来のエンコーダの中に構成されていたものであり、本実施の形態ではこれらの間にマージンビット挿入ブロック１８２を設けた点に特徴がある。マージンビット挿入ブロック１８２には、記録用クロック信号発生器１４内で検出されたプリピット位置情報が供給されており、このプリピット位置情報に基づいて符号変調ブロック１８１より入力された記録信号に、図４に示すフローチャートに従って、前記Ｐａ及びＰｂを決定して適切なマージンビットを挿入する。
【００２７】
次に、マージンビットの生成方法について図４のフローチャートと共に説明する。マージンビットの先頭ビットＰａと末尾ビットＰｂとを決定するにあたり、（１）ランレングス制限規則（ｄ，ｋ）を守る、（２）直流レベルを適切に制御するＤＳＶコントロールをなるべく使う、（３）ランドプリピット（ＬＰＰ）に影響しないよう、なるべく反転しない、（４）反転する場合はなるべく後ろ側で反転する、という条件を満足するようにしている。
【００２８】
すなわち、エンコーダ１８内のマージンビット挿入ブロック１８２は、まず、情報信号のマージンビット直前の連続する”０”の数Ｎｆがｄより小で、かつ、マージンビット直後の連続する”０”の数Ｎｂがｄより小であるかどうか判定し（ステップ１０１）、Ｎｆ＜ｄで、かつ、Ｎｂ＜ｄであるときは、ランレングス制限規則（ｄ，ｋ）を守るように、先頭ビットＰａ及び末尾ビットＰｂの両方を”０”とする（ステップ１０２）。
【００２９】
一方、ステップ１０１の条件が満足されないときは、Ｎｆ＜ｄかどうか判定し（ステップ１０３）、Ｎｆ＜ｄであるときは、（Ｎｆ＋Ｎｍ＋Ｎｂ）がランレングス制限長の最大値ｋより大であるかどうか判定する（ステップ１０４）。なお、Ｎｍの判定時には、Ｎｍ中のＰａ及びＰｂは、いずれも”０”であると仮定して判定する（以下、同様）。（Ｎｆ＋Ｎｍ＋Ｎｂ）＞ｋであるときは、ランレングス制限規則を守るべく、先頭ビットＰａと末尾ビットＰｂの一方を”１”とするが、できるだけ後ろ側で符号反転させるという条件からＰｂだけを”１”とする（ステップ１０５）。（Ｎｆ＋Ｎｍ＋Ｎｂ）がｋ以下であるときは、ランレングス制限規則が守られているので、先頭ビットＰａと末尾ビットＰｂの両方を”０”とする（ステップ１０６）。
【００３０】
ステップ１０３でＮｆがｄ以上であると判定されたときには、Ｎｂ＜ｄかどうか判定する（ステップ１０７）。Ｎｂ＜ｄであるときは、（Ｎｆ＋Ｎｍ＋Ｎｂ）がランレングス制限長の最大値ｋより大であるかどうか判定する（ステップ１０８）。大であるときは、ランレングス制限規則を守るべく、先頭ビットＰａと末尾ビットＰｂの一方を”１”とするが、Ｎｆがｄ以上であるので、Ｐａだけを”１”とする（ステップ１０９）。（Ｎｆ＋Ｎｍ＋Ｎｂ）がｋ以下であるときは、ランレングス制限規則が守られているので、先頭ビットＰａと末尾ビットＰｂの両方を”０”とする（ステップ１１０）。
【００３１】
また、ステップ１０７でＮｂがｄ以上であると判定されたときは、マージンビットの直前の”０”の数と直後の”０”の数がいずれもｄ以上であるので、（Ｎｆ＋Ｎｍ＋Ｎｂ）がランレングス制限長の最大値ｋより大であるかどうか判定し（ステップ１１１）、ｋ以下であればマージンビット挿入前又は挿入後（先読みの場合）のＤＳＶ演算を行い、その演算結果に基づいて、そのＤＳＶ（digital sum value）が小さくなるようなＣ１又はＣ２を選択し（ステップ１１２）、Ｃ２選択時は先頭ビットＰａと末尾ビットＰｂの両方を”０”とし（ステップ１１３）、Ｃ１選択時はＰｂのみを”１”とする（ステップ１１４）。
【００３２】
なお、図４のフローチャート中、上記のＣ１は、１回の反転によりマージンビット以降の極性を反転したい場合であり、上記のＣ２は反転なし、若しくは２回反転により極性を維持する場合である。
【００３３】
ステップ１１１で（Ｎｆ＋Ｎｍ＋Ｎｂ）がｋ以上であると判定されたときは、ランレングス制限規則の最大値ｋを超えるので、（Ｎｆ＋Ｎｍ）＞ｋで、かつ、（Ｎｍ＋Ｎｂ−１）≦ｋであるかどうか判定し（ステップ１１５）、条件を満足するときは、マージンビットとその直前の”０”の数の和がｋより多いので、ＤＳＶ演算を行い、その演算結果に基づいて、そのＤＳＶが小さくなるようなＣ１又はＣ２を選択し（ステップ１１６）、Ｃ１選択時は先頭ビットＰａだけを”１”とし（ステップ１１７）、Ｃ２選択時はＰａ及びＰｂの両方を”１”とする（ステップ１１８）。
【００３４】
ステップ１１５の条件を満足しないときは、（Ｎｆ＋Ｎｍ−１）≦ｋで、かつ、（Ｎｍ＋Ｎｂ）＞ｋであるかどうか判定し（ステップ１１９）、条件を満足するときは、マージンビットとその直後の”０”の数の和がｋより多いので、ＤＳＶ演算を行い、その演算結果に基づいて、そのＤＳＶが小さくなるようなＣ１又はＣ２を選択し（ステップ１２０）、Ｃ１選択時は末尾ビットＰｂだけを”１”とし（ステップ１２１）、Ｃ２選択時はＰａ及びＰｂの両方を”１”とする（ステップ１２２）。ステップ１１９の条件も満足しないときは、Ｐａ及びＰｂの両方を”１”とする（ステップ１２３）。
【００３５】
図３のマージンビット挿入ブロック１８２で、上記のようにして生成されたマージンビットは、マージンビット挿入ブロック１８２に入力されたＮＲＺＩ変調前の情報信号（記録データ）中に、図１（Ｂ）に示すようにプリピット位置に対応したタイミングで挿入された後、ＮＲＺＩ変換器１８３でＮＲＺＩ信号に変換され、パワー制御回路１９に供給され、前述したように、ここで記録用クロック信号発生器１４から供給された記録用クロック信号に基づいて、変調信号の波形変換されて記録信号としてレーザ駆動回路１２に出力される。
【００３６】
この結果、光ディスク上のグルーブ部に記録されたマージンビットと、ランド部に予め記録されているプリピットとウォブルの関係は、図５に示すようになる。同図において、ＳＹは１シンクブロック期間（前記の１シンクフレーム期間と同じ）の同期情報であり、先頭のプリピットｐ１が収まるように、記録クロック信号に同期してエンコードされて記録される。
【００３７】
また、プリピットｐ２及びｐ３は、上記の同期情報ＳＹに続く記録情報に隣接する他のウォブルＷの頂点に存在しており、これらプリピットｐ２及びｐ３に対応した位置に、すなわち、隣接するグルーブ部に、マージンビットｍ１、ｍ２が記録される。これにより、プリピットｐ２及びｐ３とマージンビットｍ１、ｍ２との間の干渉を低減することができる。
【００３８】
なお、マージンビットを記録情報信号中に挿入した場合でも、従来の光ディスクにおける記録する情報信号のチャネルビットクロック周波数と、ウォブル周波数との整数比関係を変えたくない場合には、基本的に１シンクブロック期間中に記録情報信号に加わる追加ビットを、１シンクブロック期間中のウォブル数の倍数にすればよい。例えば、１シンクブロック期間中のウォブル数が３の場合は、追加ビット数を３の倍数にすればよい。このときのプリピットとウォブル及びマージンビットの関係を図６に示す。同図中、図５と同一部分には同一符号を付し、その説明を省略する。
【００３９】
この追加ビットのマージンビットヘの振り分けは自由であるが、追加ビットを全てマージンビットに振り分けたい場合、マージンビットの長さの候補としては、３Ｔ、６Ｔ、９Ｔ、１２Ｔなどがあげられ、干渉の状態を見ながら一番適切なところを選択すればよい（但し、図１の条件を満たす範囲で選択しなければならない。）。これにより、チャネルビットクロックの周波数は、必ずウォブル周波数の整数倍となる。
【００４０】
なお、図５、図６では、同期情報ＳＹ中の平坦な部分をプリピットに同期させるように描いているが、同期させずに、マージンビットに置き換えてもよいことは勿論である。
【００４１】
次に、本発明の要部の他の実施の形態について説明する。図７は本発明になる情報記録方法の他の実施の形態を実現するエンコーダの内部ブロック図を示す。同図中、図３と同一構成部分には同一符号を付し、その説明を省略する。図７において、エンコーダ１８は、符号変調ブロック１８４及びＮＲＺＩ変換器１８３よりなる。
【００４２】
本実施の形態では符号変調ブロック１８４を設けた点に特徴がある。符号変調ブロック１８４は、記録用クロック信号発生器１４内で検出されたプリピット位置情報が、記録用クロック信号と共に供給されており、ＣＰＵ１６より入力された記録信号に対して符号変調を行う際に、図４のフローチャートと共に説明した方法で適切なマージンビットを生成した後、プリピット位置情報に基づいて、プリピット位置に対応したタイミングで挿入する。
【００４３】
この実施の形態では、符号変調とマージンビットの挿入とを同時に行うので、ＤＳＶ制御などを共通化することが可能となる。
【００４４】
次に、本発明の記録媒体の再生方法について説明する。再生装置のハードウェア構成自体は従来と同じであるが、再生方法のアルゴリズムが若干従来と異なる。すなわち、上記の実施の形態の光ディスクでは、図５あるいは図６に示したように、プリピットに隣接する位置にマージンビットが記録されるように情報信号（記録データ）にマージンビットが挿入されて記録されているから、再生時は、再生信号中に含まれるプリピットの信号を検出して得たプリピット検出信号に基づき、プリピット位置に対応するグルーブ部の位置から再生される信号がマージンビットであると判別し、この位置からの再生信号を無視して、再生信号を復号することにより、元の情報信号が再生される。
【００４５】
また、本発明は以上の実施の形態に限定されるものではなく、例えば、マージンビット生成方法は、図４のフローチャートの方法に限定されるものではなく、システムによってはランレングス制約がない場合や、ＤＳＶコントロールが必要でない場合があり、そのときは図４中の対応する分岐が無くなり、選択の自由度が高くなる。また、情報信号がグルーブ部及びランド部のうちランド部に記録される光ディスクに本発明を適用することもできる。更に、光ディスクだけでなくその他の媒体に対しても、プリピットと記録信号の関係が成り立つものであれば、応用可能である。
【００４６】
【発明の効果】
以上説明したように、本発明によれば、プリピットの位置を含めた期間に、プリピットの読み出しに影響を与えないマージンビットを記録し、再生するようにしたため、情報信号とプリピット信号相互の干渉を軽減し、各々の情報を正確に再生することができる。この時、マージンビットのパターンは、記録信号のランレングス制約及びＤＳＶを考慮して決定することにより、信号のＤＣ成分を低減し、再生に有利な記録再生システムを構築することができる。
【図面の簡単な説明】
【図１】  本発明になる情報信号記録方法の一実施の形態のプリピットと記録信号の位置関係を示す図である。
【図２】  本発明になる情報信号記録方法が適用される光ディスク装置の一例のブロック図である。
【図３】  本発明になる情報記録方法の一実施の形態を実現するエンコーダの内部ブロック図である。
【図４】  図３のエンコーダにより生成されて記録信号に挿入されるマージンビットの生成方法の一例を示すフローチャートである。
【図５】  プリピットとウォブル及びマージンビットの関係の一例を示す図である。
【図６】  プリピットとウォブル及びマージンビットの関係の他の例を示す図である。
【図７】  本発明になる情報記録方法の他の実施の形態を実現するエンコーダの内部ブロック図である。
【符号の説明】
１１  光ヘッド
１４  記録用クロック信号発生器
１６  中央処理装置（ＣＰＵ）
１８  エンコーダ
１９  パワー制御回路
１８１  符号変調ブロック
１８２  マージンビット挿入ブロック
１８３  ＮＲＺＩ変換器
１８４  マージンビット挿入機能付き符号変調ブロック
【図１】
0003684995.tif 000002
【図２】
0003684995.tif 000003
【図３】
0003684995.tif 000004
【図４】
0003684995.tif 000005
【図５】
0003684995.tif 000006
【図６】
0003684995.tif 000007
【図７】
0003684995.tif 000008